(57)【特許請求の範囲】
【請求項１】
槽体の底面に設けられた排水口１を遠隔的に開閉する遠隔操作式排水栓装置であって、
遠隔操作式排水栓装置を、
排水口１の開閉を操作する操作部２と、
上下動することで排水口１の開閉を行う弁部材３と、
上記操作部２と弁部材３との間を連絡するレリースワイヤ４と、から成し、
更にレリースワイヤ４を、
側面方向に可撓性を備え軸方向に剛性を備えた中空の管体であって、一端を排水口１に対して、他端を操作部２に対して、それぞれ固定する中空のアウターチューブ５と、
アウターチューブ５内部に収納され、側面方向に可撓性を備え軸方向に剛性を備えると共に軸方向に摺動自在に動作するインナーワイヤ６と、
該インナーワイヤ６の操作部２側に備えられ、アウターチューブ５に対しインナーワイヤ６を操作部２側に付勢する戻りスプリング７と、
弁部材３と嵌合する部材であって、インナーワイヤ６の排水口１側端部に、インナーワイヤ６に対して摺動可能且つ抜脱不能に備えられる弁軸部８と、
該弁軸部８とインナーワイヤ６との間に配置され、弁軸部８をインナーワイヤ６端部から離間する方向に付勢すると共に、軸方向操作部２側に、戻りスプリング７が収縮する応力よりも大きく、インナーワイヤ６の破損が生じるよりも小さい応力が作用した際に収縮する緩衝部材と、
より構成してなることを特徴とする、遠隔操作式排水栓装置。
【請求項２】
槽体の底面に設けられた排水口１を遠隔的に開閉する遠隔操作式排水栓装置であって、
遠隔操作式排水栓装置を、
排水口１の開閉を操作する操作部２と、
上下動することで排水口１の開閉を行う弁部材３と、
上記操作部２と弁部材３との間を連絡するレリースワイヤ４と、から成し、
更にレリースワイヤ４を、
側面方向に可撓性を備え軸方向に剛性を備えた中空の管体であって、一端を排水口１に対して、他端を操作部２に対して、それぞれ固定する中空のアウターチューブ５と、
アウターチューブ５内部に収納され、側面方向に可撓性を備え軸方向に剛性を備えると共に軸方向に摺動自在に動作するインナーワイヤ６と、
弁部材３と嵌合する部材であって、有底円筒状で下方に開口した弁軸部本体８ａと、弁軸部本体８ａの下方の開口を閉塞する弁軸蓋部８ｂから成り、インナーワイヤ６の排水口１側端部に取り付けられたストッパー９によって、インナーワイヤ６に対して摺動可能且つ抜脱不能に備えられる弁軸部８と、
ストッパー９と弁軸部本体８ａ上端の壁部下面との間に配置され、弁軸部８をインナーワイヤ６端部から離間する方向に付勢すると共に、インナーワイヤ６の破損が生じるよりも小さい応力が作用した際に収縮する緩衝部材と、
より構成してなることを特徴とする、遠隔操作式排水栓装置。
【請求項３】
上記緩衝部材が緩衝用のスプリングであることを特徴とする、請求項１又は請求項２に記載の遠隔操作式排水栓装置。
【請求項４】
上記遠隔操作式排水栓装置において、
レリースワイヤ４に、筒形状であって、弁軸部８の外周に配置され、弁軸部８を進退自在に収納すると共に、アウターチューブ５端部に接続固定される、カバー部材１１を備えたことを特徴とする、請求項１乃至請求項３のいずれか１つに記載の遠隔操作式排水栓装置。
【請求項５】
上記遠隔操作式排水栓装置において、
アウターチューブ５の排水口１側端部に条部５ｂを設け、カバー部材１１の下端部分に、上記条部５ｂに合致する切欠部１１ａを設けたことを特徴とする、
請求項４に記載の遠隔操作式排水栓装置。
【請求項６】
上記遠隔操作式排水栓装置において、
アウターチューブ５の排水口１側端部の外側面とカバー部材１１内周面が当接するように成すと共に、
アウターチューブ５の排水口１側端部に条部５ｂを設け、
且つ条部５ｂの側面を、アウターチューブ５端部の中心軸と条部５ｂの中心軸とを結ぶ平面と略平行となるように設け、
カバー部材１１の下端部分に、上記条部５ｂに合致する切欠部１１ａを設けたことを特徴とする、
請求項４に記載の遠隔操作式排水栓装置。
【請求項７】
上記遠隔操作式排水栓装置において、条部５ｂに段部５ｄを備え、切欠部１１ａに段部５ｄに合致する凹部１１ｂを設けたことを特徴とする、請求項５又は請求項６に記載の遠隔操作式排水栓装置。
【発明の詳細な説明】
【技術分野】
【０００１】
本発明は洗面台、流し台、浴槽などの槽体の底面に設けられた排水口を、遠隔操作により開閉する、遠隔操作式排水栓装置に関するものであって、更に詳しくは、遠隔操作式排水栓装置について、排水口の開口時に弁部材に加えられた応力を緩衝する緩衝機構を備えた遠隔操作式排水栓装置に関するものである。
【背景技術】
【０００２】
従来より、本発明は洗面台、流し台、浴槽などの槽体の底面には、排水を下水側に排出するために、排水口を備えた排水装置が備えられている。これらのうち、特に排水口から離れた場所に備えた操作部に操作を加えることで、排水口の開閉を行う事が出来る排水装置を、特に、遠隔操作式排水栓装置と呼ぶ。以下に遠隔操作式排水栓装置の従来例を、図１２を参照しつつ説明する。
【０００３】
図１２に図示した第一の従来例の遠隔操作式排水栓装置は、以下に記載した排水栓本体、弁部材、支持部材、レリースワイヤ、エルボ部材、操作部、ガイド管より構成されてなる。
排水栓本体は、内部に排水口を形成する略円筒形状の部材であって、その外側面に雄ネジを備えてなる。
弁部材は、上記排水口を閉口する円盤状の弁体と、該弁体の下面中央に設けられた嵌合部よりなる。
支持部材は、排水口内に収納固定される部材であって、後述するレリースワイヤの端部を接続固定した状態で、排水口内に収納固定される。
レリースワイヤは、以下に記載したアウターチューブ、インナーワイヤ、弁軸部、戻りスプリング、支持軸、緩衝スプリング、より構成されてなる。
アウターチューブは、側面方向に可撓性を備え軸方向に剛性を備えた中空の管体である。
インナーワイヤは、側面方向に可撓性を備え軸方向に剛性を備えた、コイル状に巻いた金属線であって、上記アウターチューブ内部に収納され、アウターチューブ内を軸方向に摺動自在に動作する。尚、インナーワイヤの排水口側の端部はアウターチューブから露出するが、操作部側の端部はアウターチューブ内に収納配置される。
戻りスプリングは、該インナーワイヤの操作部側に備えられ、アウターチューブに対しインナーワイヤを操作部側に付勢する。
弁軸部は、インナーワイヤの排水口側の端部に備えられ、その先端が上記弁体の嵌合部に嵌合する。
支持軸は、アウターチューブ内に抜け止めされた状態で配置され、アウターチューブ端部に配置される。
緩衝スプリングは、アウターチューブ内であって、支持軸とインナーワイヤとの間に配置される部材である。該緩衝スプリングは、戻りスプリングよりも大きなバネ定数を備えてなり、インナーワイヤが弁部材を押し上げたり、戻りスプリングが伸縮するなど、通常の使用程度の応力が弁軸部から支持軸の間において作用しても、伸縮を生じない。しかしながら、遠隔操作式排水栓装置の通常の使用では生じない、部材の破損を生じかねない程度の応力が弁軸部から支持軸の間において作用した場合には収縮し、応力を吸収して弁軸部から支持軸の間の部材の破損を防止する。
エルボ部材は、排水栓本体の雄ネジと螺合する雌ネジを設けた開口を上方に備えてなり、また、前記排水口から流れ込む排水を下水側に排出するための排出口、及びレリースワイヤを相通する挿通筒を備えてなる。
操作部は、以下に記載する操作部本体と、ロック機構部と、ボタン部材からなる。
操作部本体は、略円筒形状にして、円筒形状の上端部分の外側面には周縁に沿って連続して外側方向に突出した鍔部を設けてなる。
ロック機構部は、円筒形状の本体部分と、該本体部分の中央に配置して本体部分に対し上下動する操作軸を備えた部材であって、その内部にはスラストロック機構と呼ばれる機構を備えてなる。
ロック機構部に備えられた操作軸は、施工完了時レリースワイヤの戻りスプリングの付勢により、常に上向きの付勢を受ける。この状態において、支持軸の上端に押し込み操作を加えると、支持軸は、スラストロック機構により、操作を加える毎に「下方に突出して固定／固定を解除し戻りスプリングの作用により上昇」を交互に繰り返すように構成されてなる。
ロック機構部の下端部分には、施工完了時レリースワイヤのアウターチューブの一端が接続されると共に、その内部に、下端がインナーワイヤに当接する操作軸を備えてなる。
ボタン部材は、操作部本体の内周面よりも若干小径な外径を有した円板状の部材であって、下面中央部分が操作軸上端に先端と嵌合するように構成されてなる。
ガイド管は、側面に可撓性を備えたチューブ管で、一端は操作部本体の下端に、他端はエルボ部材の挿通筒に、それぞれ接続される。
また、上記各部材からなる遠隔操作式排水栓装置は、以下に記載したような槽体である浴槽に施工される。
浴槽は、上方が開口した箱体であって、底面には排水栓を取り付ける排水栓取付孔を、上方の開口の周縁には操作部を取り付ける操作部取付孔を、それぞれ設けてなる。
【０００４】
上記のように構成した従来例の遠隔操作式排水栓装置を、槽体である浴槽に取り付ける場合、まず、浴槽等に設けた排水栓取付孔を介して排水栓本体とエルボ部材を螺合させ、排水栓取付孔に排水栓本体とエルボ部材を取り付け固定する。
次に、浴槽上縁部に設けられた操作部取付孔に操作部本体を取り付け固定した上で、ガイド管の一端を操作部本体の下端に、他端をエルボ部材の挿通筒に、それぞれ接続する。
更にレリースワイヤの一端をロック機構部に接続する。詳細に説明すると、アウターチューブの端部をロック機構の本体部に接続し、操作軸をインナーワイヤの支持軸に当接するようにしてレリースワイヤをロック機構部に接続する。
このようにレリースワイヤをロック機構に接続した後、レリースワイヤの弁軸部側端部を操作部本体内に挿通すると、弁軸部は操作部本体、ガイド管、エルボ部材内部、の順に挿通し、最終的に排水栓本体内に到達する。この状態から、レリースワイヤの端部を支持部材に接続した上で、排水栓本体内部に支持部材を配置固定する。
その後、インナーワイヤ端部の弁軸部を、弁部材の嵌合部に嵌合させ、更に操作軸に、ボタン部材を嵌合させて、遠隔操作式排水栓装置の取り付けが完了する。
【０００５】
上記従来例の遠隔操作式排水栓装置を使用する場合、まず操作部のボタン部材に操作を加えて排水口を閉口した状態、即ちレリースワイヤのインナーワイヤが操作部側に後退し、弁部材が降下した状態とする。この状態よりボタン部材に押し込み操作を加えて、インナーワイヤを排水口側に前進させると、インナーワイヤ先端の弁軸部が上昇して弁部材を押上げ、弁体が上昇して排水口を開口する。この開口状態は、ロック機構部のスラストロック機構によって維持固定される。
この状態よりボタン部材に再度押し込み操作を加えてロック機構部の操作軸の固定状態を解除すると、弁部材の自重や戻りスプリングの作用により、インナーワイヤが操作部側に後退し、弁軸部が下降するため、弁軸部に押し上げられていた弁部材も降下して弁体が排水口を閉口する。以後この操作を繰り返すことで排水口の開閉を自在に操作することができる。
【０００６】
また、遠隔操作式排水栓装置において、排水口が開口している状態、即ち弁部材が上昇し、弁体が排水口から離間している状態の際に、弁部材に大きな加重が加えられると、弁部材からインナーワイヤに加重が伝達し、弁部材と比べると強度的に弱いインナーワイヤが折れ曲がるなどの破損を生じてしまう場合がある。この問題を解決するため、上記従来例においては、弁軸部からインナーワイヤを介し支持軸に至る経路上に緩衝スプリングを備え、加重が加えられても緩衝スプリングが収縮し、弁体が排水口に当接することで、インナーワイヤなど遠隔操作式排水栓装置に破損が生じないように構成してなる。
【０００７】
【特許文献１】特開２００２−８８８５３号公報（第一実施例）
【発明の開示】
【発明が解決しようとする課題】
【０００８】
上記従来例において、排水口が開口している状態、即ち弁部材が上昇し、弁体が排水口から離間している状態において、弁部材に大きな加重が加えられると、段落０００６に記載したように、緩衝スプリングが収縮することで、インナーワイヤが破損することを防止するように構成されてなる。
ところで、上記従来例において、緩衝スプリングによる緩衝機能が発揮される為には、弁部材及び弁軸部に加わった加重によってインナーワイヤが操作部側に後退する必要がある。しかし、アウターチューブとインナーワイヤの間には摩擦抵抗が存在する。このため、弁部材に急激に応力が加えられ、インナーワイヤとアウターチューブの間の摩擦抵抗によってインナーワイヤの操作部側への後退がスムーズに行われない場合、緩衝スプリングが収縮しないまま、インナーワイヤが破損してしまう場合がある、といった問題があった。
特に浴槽の遠隔操作式排水栓装置の場合、取り付けられる槽体が大きな分、レリースワイヤの全長が、洗面台ボウル等の遠隔操作式排水栓装置のレリースワイヤに比べて長くなる。レリースワイヤのインナーワイヤとアウターチューブとの間の摩擦抵抗は、長さに比例して増大するため、洗面ボウル用遠隔操作式排水栓装置に比べ、浴槽用遠隔操作式排水栓装置の方が、インナーワイヤのスムーズな動作が妨げられる事となる。
また、レリースワイヤは曲がり部分において特に強くインナーワイヤとアウターチューブが擦れるように接触するため、エルボ部材内部で小半径で屈曲したり、浴槽の側面に沿って屈曲して配置される浴槽用遠隔操作式排水栓装置のレリースワイヤでは、特にインナーワイヤのスムーズな動作が妨げられる事となる。
また、浴槽用遠隔操作式排水栓装置の場合、排水口の開口時に、弁部材が浴槽の使用者に踏まれることで、数十キログラム相当の加重が一瞬の間に加えられる場合があり、緩やかに加重を加えた場合と比べてインナーワイヤの摺動がスムーズに起こり難く、そのためインナーワイヤの操作部側への後退動作が完了するよりも早く大きな加重がインナーワイヤに加わり、インナーワイヤに破損が生じる場合があった。
しかしながらレリースワイヤの緩衝スプリングの配置を、レリースワイヤ中の排水口側に配置することも困難であった。これは、スプリングの特性として、スプリングが屈曲した状態で応力が作用すると、スプリングの軸方向への伸縮がスムーズに行うことができず、むしろ折れ曲がって破損してしまう場合があるためである。例えば浴槽用遠隔操作式排水栓装置のレリースワイヤにおいては、エルボ部材内部で小半径で屈曲するため、緩衝スプリングをレリースワイヤ中の排水口側に配置すると、屈曲部分に緩衝スプリングが配置されることとなり、スプリングの軸方向への伸縮がスムーズに行うことができず、折れ曲がって破損してしまう場合がある。
上記は浴槽用遠隔操作式排水栓装置の場合であるが、洗面ボウル用遠隔操作式排水栓装置の場合でも、排水口側のレリースワイヤは、キャビネット内にて１８０反転して配置されるため、浴槽用遠隔操作式排水栓装置のレリースワイヤと同様の問題を生じる。
結局、従来のレリースワイヤにおいては、施工完了時、比較的直線部分が長く設けられる、操作部側の端部付近に、緩衝用スプリングを配置さぜるを得なかった。
本発明は上記の課題に鑑みて成されたものであり、その目的とする処は、弁部材に急激に応力が加えられても、インナーワイヤなど各部材の破損を防止する緩衝機構が、何ら支障無くスムーズに作動する遠隔操作式排水栓装置を提供するものである。
【課題を解決するための手段】
【０００９】
請求項１に記載の本発明は、槽体の底面に設けられた排水口１を遠隔的に開閉する遠隔操作式排水栓装置であって、
遠隔操作式排水栓装置を、排水口１の開閉を操作する操作部２と、上下動することで排水口１の開閉を行う弁部材３と、上記操作部２と弁部材３との間を連絡するレリースワイヤ４と、から成し、
更にレリースワイヤ４を、側面方向に可撓性を備え軸方向に剛性を備えた中空の管体であって、一端を排水口１に対して、他端を操作部２に対して、それぞれ固定する中空のアウターチューブ５と、アウターチューブ５内部に収納され、側面方向に可撓性を備え軸方向に剛性を備えると共に軸方向に摺動自在に動作するインナーワイヤ６と、該インナーワイヤ６の操作部２側に備えられ、アウターチューブ５に対しインナーワイヤ６を操作部２側に付勢する戻りスプリング７と、弁部材３と嵌合する部材であって、インナーワイヤ６の排水口１側端部に、インナーワイヤ６に対して摺動可能且つ抜脱不能に備えられる弁軸部８と、該弁軸部８とインナーワイヤ６との間に配置され、弁軸部８をインナーワイヤ６端部から離間する方向に付勢すると共に、軸方向操作部２側に、戻りスプリング７が収縮する応力よりも大きく、インナーワイヤ６の破損が生じるよりも小さい応力が作用した際に収縮する緩衝部材と、
より構成してなることを特徴とする、遠隔操作式排水栓装置である。
【００１０】
請求項２に記載の本発明は、槽体の底面に設けられた排水口１を遠隔的に開閉する遠隔操作式排水栓装置であって、遠隔操作式排水栓装置を、排水口１の開閉を操作する操作部２と、上下動することで排水口１の開閉を行う弁部材３と、上記操作部２と弁部材３との間を連絡するレリースワイヤ４と、から成し、更にレリースワイヤ４を、側面方向に可撓性を備え軸方向に剛性を備えた中空の管体であって、一端を排水口１に対して、他端を操作部２に対して、それぞれ固定する中空のアウターチューブ５と、アウターチューブ５内部に収納され、側面方向に可撓性を備え軸方向に剛性を備えると共に軸方向に摺動自在に動作するインナーワイヤ６と、弁部材３と嵌合する部材であって、有底円筒状で下方に開口した弁軸部本体８ａと、弁軸部本体８ａの下方の開口を閉塞する弁軸蓋部８ｂから成り、インナーワイヤ６の排水口１側端部に取り付けられたストッパー９によって、インナーワイヤ６に対して摺動可能且つ抜脱不能に備えられる弁軸部８と、ストッパー９と弁軸部本体８ａ上端の壁部下面との間に配置され、弁軸部８をインナーワイヤ６端部から離間する方向に付勢すると共に、インナーワイヤ６の破損が生じるよりも小さい応力が作用した際に収縮する緩衝部材と、より構成してなることを特徴とする、遠隔操作式排水栓装置である。
【００１１】
請求項３に記載の本発明は、上記緩衝部材が緩衝用のスプリングであることを特徴とする、段落０００９又は段落００１０に記載の遠隔操作式排水栓装置である。
【００１２】
請求項４に記載の本発明は、上記遠隔操作式排水栓装置において、レリースワイヤ４に、筒形状であって、弁軸部８の外周に配置され、弁軸部８を進退自在に収納すると共に、アウターチューブ５端部に接続固定される、カバー部材１１を備えたことを特徴とする、段落０００９乃至段落００１１に記載の遠隔操作式排水栓装置である。
【００１３】
請求項５に記載の本発明は、上記遠隔操作式排水栓装置において、アウターチューブ５の排水口１側端部に条部５ｂを設け、カバー部材１１の下端部分に、上記条部５ｂに合致する切欠部１１ａを設けたことを特徴とする、段落００１２に記載の遠隔操作式排水栓装置である。
【００１４】
請求項６に記載の本発明は、上記遠隔操作式排水栓装置において、アウターチューブ５の排水口１側端部の外側面とカバー部材１１内周面が当接するように成すと共に、アウターチューブ５の排水口１側端部に条部５ｂを設け、且つ条部５ｂの側面を、アウターチューブ５端部の中心軸と条部５ｂの中心軸とを結ぶ平面と略平行となるように設け、カバー部材１１の下端部分に、上記条部５ｂに合致する切欠部１１ａを設けたことを特徴とする、段落００１２に記載の遠隔操作式排水栓装置である。
【００１５】
請求項７に記載の本発明は、上記遠隔操作式排水栓装置において、条部５ｂに段部５ｄを備え、切欠部１１ａに段部５ｄに合致する凹部１１ｂを設けたことを特徴とする、段落００１３又は段落００１４に記載の遠隔操作式排水栓装置である。
【発明の効果】
【００１６】
請求項１又は請求項２に記載の本発明は、遠隔操作式排水栓装置において、レリースワイヤではなく弁軸部内に緩衝部材を配置したことで、弁部材に加重を加えられた際に、緩衝部材が収縮を行う為にインナーワイヤが操作部側に動作する必要が無くなり、インナーワイヤとアウターチューブの摩擦等に関係なく、インナーワイヤや弁軸部が破損することを防止することができる。
また、遠隔操作式排水栓装置の排水口を閉口する場合、インナーワイヤを弁軸部から抜脱不能に構成したことで、戻りスプリングがインナーワイヤを操作部側に付勢する力を、弁軸部が降下する力に利用することができ、弁部材及び弁軸部の自重以上の力で確実に排水口を閉口することができる。
請求項３に記載の本発明では、弾性部材の構成を明確化することができる。
請求項４に記載の本発明では、弁軸部を覆うと共にその進退をガイドするカバー部材を備えたことで、弁軸部の進退の方向と、インナーワイヤの端部における軸方向とが良く合致するようにすることができる。弁軸部に組み込んだ緩衝部材により、弁部材に加えられた応力を緩衝することができるようになっても、緩衝部材の収縮の方向と、インナーワイヤの軸の方向とが合致していないと、インナーワイヤの側面方向に緩衝部材に加えられた応力が集中してインナーワイヤが破損してしまう場合がある。弁軸部にカバー部材を備えることで、カバー部材を弁軸部の進退のガイドとして利用することができるようになり、弁軸部の進退方向とインナーワイヤ端部の軸方向とにズレが生じることなく、良く合致するようにすることができ、遠隔操作式排水栓装置の緩衝機構の作用を一層確実なものとすることができる。
請求項５、請求項６に記載の本発明では、アウターチューブ端部とカバー部材との接続方法に工夫を加えた事で、アウターチューブに対してカバー部材が傾斜し難くすることができる。これにより、カバー部材にガイドされる弁軸部の進退の方向と、アウターチューブにガイドされるインナーワイヤの端部における軸方向とが良く合致するようになり、遠隔操作式排水栓装置の信頼性をより向上することができる。
請求項７に記載の本発明では、アウターチューブ端部とカバー部材との接続部分に段部を設けたことで、アウターチューブ端部とカバー部材との接続の際の当接面が増加し、より一層アウターチューブに対してカバー部材が傾斜し難くすることができ、遠隔操作式排水栓装置の信頼性をより向上すること
【図面の簡単な説明】
【００１７】
【図１】実施例の遠隔操作式排水栓装置を示す断面図である。
【図２】実施例のレリースワイヤを示す断面図である。
【図３】実施例のアウターチューブ端部近傍の部材構成を示す参考図である。
【図４】実施例のアウターチューブ端部近傍の斜視図である。
【図５】実施例の遠隔操作式排水栓装置の、開口状態における排水口近傍の断面図である。
【図６】図５の状態における、レリースワイヤ端部を切り欠いた斜視図である。
【図７】実施例の遠隔操作式排水栓装置の、閉口状態における排水口近傍の断面図である。
【図８】図７の状態における、レリースワイヤ端部を切り欠いた斜視図である。
【図９】実施例の遠隔操作式排水栓装置の、緩衝状態における排水口近傍の断面図である。
【図１０】図９の状態における、レリースワイヤ端部を切り欠いた斜視図である。
【図１１】アウターチューブの操作部側端部の平面図である。
【図１２】従来の遠隔操作式排水栓装置を示す断面図である。
【発明を実施するための形態】
【００１８】
以下に、本発明の実施例を、図面を参照しつつ説明する。図１乃至図１１に示した本発明の実施例の遠隔操作式排水栓装置は、以下に記載した排水栓本体１２、弁部材３、支持部材１３、レリースワイヤ４、エルボ部材１４、操作部２、ガイド管１５より構成されてなる。尚本文中に記載された「上」「下」は、施工が完了した状態での方向を基準として記載する。
排水栓本体１２は、内部に排水口１を形成する略円筒形状の部材であって、その外側面に雄ネジを備えてなる。
弁部材３は、上記排水口１を閉口する円盤状の弁体３ａと、該弁体３ａの下面中央に設けられた嵌合部３ｂよりなる。
支持部材１３は、排水口１内に収納固定される部材であって、後述するレリースワイヤ４の端部、正確にはカバー部材１１を接続固定した状態で、排水口１内に収納固定される。
レリースワイヤ４は、以下に記載したアウターチューブ５、インナーワイヤ６、弁軸部８、戻りスプリング７、支持軸６ａ、緩衝スプリング１０、カバー部材１１、より構成されてなる。
アウターチューブ５は、側面方向に可撓性を備え軸方向に剛性を備えた中空の管体である。
また、排水口１側のアウターチューブ５端部には鍔部５ａを設け、この鍔部５ａ外側面とカバー部材１１内周面が当接するように構成してなる（鍔部５ａはアウターチューブ５の端部の一部であるため、鍔部５ａに設けた条部５ｂはアウターチューブ５端部に設けられる構成である）。
また、アウターチューブ５外側面であって、平面視アウターチューブ５端部の中心軸を中心として対称となる位置二箇所に条部５ｂを設けてなる。この条部５ｂの側面は、図１１に示したように、アウターチューブ５端部での中心軸と、条部５ｂの中心軸を結ぶ平面と平行となるように設けてなる。
また、図３等に示したように、この条部５ｂの下端部分には側面視外方向に突出する段部５ｄを備えてなる。この段部５ｄも、その側面は、図１１に示したように、アウターチューブ５端部での中心軸と、条部５ｂの中心軸を結ぶ平面と平行となるように設けてなる。また、条部５ｂと干渉しない位置に爪部５ｅを設けて成る。
インナーワイヤ６は、側面方向に可撓性を備え軸方向に剛性を備えた、コイル状に巻いた金属線であって、上記アウターチューブ５内部に収納され、アウターチューブ５内を軸方向に摺動自在に動作する。尚、インナーワイヤ６の排水口１側の端部は後述するように弁軸部８内部に配置され、またその先端にはストッパー９が備えられてなる。
弁軸部８はその先端が上記弁体３ａの嵌合部３ｂに嵌合する部材であって、インナーワイヤ６の排水口１側端部に、インナーワイヤ６に対して摺動可能且つ抜脱不能に備えられる。また、弁軸部８は、その内部に、該弁軸部８とインナーワイヤ６との間に配置され、弁軸部８をインナーワイヤ６端部から離間する方向に付勢すると共に、インナーワイヤ６の軸方向に、戻りスプリング７が収縮する応力よりも大きく、インナーワイヤ６の破損が生じるよりも小さい応力が作用した際に収縮する緩衝部材としての緩衝スプリング１０を備えてなる。
弁軸部８の構成について詳述すると、弁軸部８は、有底円筒状で下方に開口した弁軸部本体８ａと、弁軸部本体８ａの下方の開口を閉塞する弁軸蓋部８ｂとを備えてなる。
弁軸蓋部８ｂは平面視円形を成す略円板状の部材で、その中央にインナーワイヤ６を挿通する貫通孔８ｃを設けてなる。
インナーワイヤ６はこの貫通孔８ｃを貫通して成り、且つその先端に貫通孔８ｃからインナーワイヤ６が抜脱することを防止するストッパー９を備えてなる。
本実施例では、図２等に示したように、レリースワイヤ４として組み上げられた状態において、インナーワイヤ６先端のストッパー９と、弁軸部本体８ａの上端の壁部下面との間に緩衝スプリング１０が配置された上で、弁軸蓋部８ｂが弁軸部本体８ａの下端の開口に対して取り外しできないよう強固に取り付け固定されている。
上記した緩衝スプリング１０は、戻りスプリング７よりも大きなバネ定数を備えてなり、インナーワイヤ６が弁部材３を押し上げたり、戻りスプリング７が伸縮するなど、通常の使用程度の応力が弁軸部８から支持軸６ａの間において作用しても、伸縮を生じない。しかしながら、遠隔操作式排水栓装置の通常の使用では生じない、部材の破損を生じかねない程度の応力が弁軸部８から支持軸６ａの間において作用した場合には収縮し、応力を吸収して弁軸部８から支持軸６ａの間の部材の破損を防止する。
上記のように構成したため、ストッパー９の作用により、貫通孔８ｃからインナーワイヤ６が抜脱することはないが、緩衝スプリング１０の軸方向に大きな応力が加えられ、緩衝スプリング１０が収縮すれば、インナーワイヤ６は貫通孔８ｃを摺動し、弁軸部８内に挿入することができる。
戻りスプリング７は、該インナーワイヤ６の操作部２側に備えられ、アウターチューブ５に対しインナーワイヤ６を操作部２側に付勢する。
カバー部材１１は、その内周面がアウターチューブ５の鍔部５ａ外周面に当接するように構成された、略円筒形状を成す部材であって、その下端部分に、上記アウターチューブ５の条部５ｂ及び段部５ｄに合致する切欠部１１ａ及び凹部１１ｂを設けてなる（鍔部５ａはアウターチューブ５の端部の一部であるため、カバー部材１１は、その内周面がアウターチューブ５の排水口１側端部の外側面と当接する構成である）。またカバー部材１１の先端部分は内周方向に連続する突起を備え、この突起が弁軸部８が進退する際に、弁軸部８外側面に当接することで、弁軸部８をガイドし、弁軸部８が正確にインナーワイヤ６の進退方向と合致するように構成してなる。
また、このカバー部材１１はアウターチューブ５端部に設けた爪部５ｅに対応する爪受穴１１ｃを備えてなり、爪部５ｅと爪受穴１１ｃの樹脂弾性を利用した嵌合構造により、アウターチューブ５端部にワンタッチにて嵌合接続され固定されてなる。
支持軸６ａは、下端がインナーワイヤ６端部に接続固定された状態で配置される。この支持軸６ａ下端とアウターチューブ５内面との間に戻りスプリング７が配置されることで、インナーワイヤ６はアウターチューブ５に対し、操作部２側に付勢される。
エルボ部材１４は、排水栓本体１２の雄ネジと螺合する雌ネジを設けた開口を上方に備えてなり、また、前記排水口１から流れ込む排水を下水側に排出するための排出口１４ａ、及びレリースワイヤ４を相通する挿通筒１４ｂを備えてなる。
操作部２は、以下に記載する操作部本体２ａと、ロック機構部２ｂと、ボタン部材２ｄからなる。
操作部本体２ａは、略円筒形状の部材であって、操作部取付孔Ｂ２に取り付けられる。
ロック機構部２ｂは、円筒形状の本体部分と、該本体部分の中央に配置して本体部分に対し上下動する操作軸２ｃを備えた部材であって、その内部にはスラストロック機構と呼ばれる機構を備えてなる。
操作軸２ｃは、その下端が施工完了時インナーワイヤ６の上端部分と当接するように配置され、レリースワイヤ４の戻りスプリング７の付勢により、常に上向きの付勢を受ける。この状態において、ボタン部材２ｄを介し、操作軸２ｃの上端に押し込み操作を加えると、操作軸２ｃは、スラストロック機構により、操作を加える毎に「下方に突出して固定／固定を解除し戻りスプリング７の作用により上昇」を交互に繰り返すように構成されてなる。
ボタン部材２ｄは、操作部本体２ａの内周面よりも若干小径な外径を有した円板状の部材であって、下面中央部分が操作軸２ｃ上端に先端と嵌合するように構成されてなる。
ガイド管１５は、側面に可撓性を備えたチューブ管で、一端は操作部本体２ａの下端に、他端はエルボ部材１４の挿通筒１４ｂに、それぞれ接続される。
また、上記各部材からなる遠隔操作式排水栓装置は、以下に記載したような槽体である浴槽Ｂに施工される。
浴槽Ｂは、上方が開口した箱体であって、底面には排水栓を取り付ける排水栓取付孔Ｂ１を、上方の開口の周縁には操作部２を取り付ける操作部取付孔Ｂ２を、それぞれ設けてなる。
【００１９】
上記のように構成した従来例の遠隔操作式排水栓装置を、槽体である浴槽Ｂに取り付ける場合、まず、浴槽Ｂ等に設けた排水栓取付孔Ｂ１を介して排水栓本体１２とエルボ部材１４を螺合させ、排水栓取付孔Ｂ１に排水栓本体１２とエルボ部材１４を取り付け固定する。
次に、浴槽Ｂ上縁部に設けられた操作部取付孔Ｂ２に操作部本体２ａを取り付け固定した上で、ガイド管１５の一端を操作部本体２ａの下端に、他端をエルボ部材１４の挿通筒１４ｂに、それぞれ接続する。
更にレリースワイヤ４の一端をロック機構部２ｂに接続する。詳細に説明すると、アウターチューブ５の端部をロック機構の本体部に接続し、操作軸２ｃをインナーワイヤ６の支持軸６ａに当接するようにしてレリースワイヤ４をロック機構部２ｂに接続する。
このようにレリースワイヤ４をロック機構に接続した後、レリースワイヤ４の弁軸部８側端部を操作部本体２ａ内に挿通すると、弁軸部８は操作部本体２ａ、ガイド管１５、エルボ部材１４内部、の順に挿通し、最終的に排水栓本体１２内に到達する。この状態から、レリースワイヤ４の端部、正確にはカバー部材１１を支持部材１３に接続した上で、排水栓本体１２内部に支持部材１３を配置固定する。
その後、インナーワイヤ６端部の弁軸部８を、弁部材３の嵌合部３ｂに嵌合させ、更に操作軸２ｃに、ボタン部材２ｄを嵌合させて、遠隔操作式排水栓装置の取り付けが完了する。
【００２０】
上記従来例の遠隔操作式排水栓装置を使用する場合、まず操作部２のボタン部材２ｄに操作を加えて、図３に示したように、排水口１を閉口した状態、即ちレリースワイヤ４のインナーワイヤ６が操作部２側に後退し、弁部材３が降下した状態とする。この状態よりボタン部材２ｄに押し込み操作を加えて、インナーワイヤ６を排水口１側に前進させると、インナーワイヤ６先端の弁軸部８が上昇して弁部材３を押上げ、図５に示したように、弁体３ａが上昇して排水口１を開口する。この開口状態は、ロック機構部２ｂのスラストロック機構によって維持固定される。
この状態よりボタン部材２ｄに再度押し込み操作を加えてロック機構部２ｂの操作軸２ｃの固定状態を解除すると、弁部材３の自重や戻りスプリング７の作用により、インナーワイヤ６が操作部２側に後退し、弁軸部８が下降するため、弁軸部８に押し上げられていた弁部材３も降下して、図３の状態に戻り、弁体３ａが排水口１を閉口する。以後この操作を繰り返すことで排水口１の開閉を自在に操作することができる。
【００２１】
また、遠隔操作式排水栓装置において、排水口１が開口している状態、即ち弁部材３が上昇し、弁体３ａが排水口１から離間している状態で、弁部材３に大きな加重が加えられると、弁軸部８内の緩衝スプリング１０に、軸方向に沿って応力が作用し、図８に示したように、インナーワイヤ６先端のストッパー９と、弁軸部本体８ａの上端の壁部下面との間で、緩衝スプリング１０が収縮する。これにより、図７に示したように、インナーワイヤ６は排水口１側に突出し且つ破損が無いまま、弁部材３及び弁軸部８が降下し、弁体３ａが排水口１を閉口した状態となる。この状態よりも弁部材３が降下することが無いため、浴室使用者が弁部材３を踏みつけてもインナーワイヤ６が破損することが無くなり、遠隔操作式排水栓装置を良好に使用することができる。弁部材３に加わった応力が取り除かれると、緩衝スプリング１０は伸張して通常の状態に復帰し、弁部材３及び弁軸が上昇し、排水口１が開口した状態に戻る。
また、本発明の実施例では、上記のように弁部材３に加重が加わって緩衝スプリング１０が収縮する際に、インナーワイヤ６が進退する必要はなく、弁部材３に加えられた応力に直接弁軸部８内の緩衝スプリング１０が収縮してインナーワイヤ６の破損を防ぐ。従来例のように、インナーワイヤ６がアウターチューブ５内を進退する必要が無く、当然、インナーワイヤ６とアウターチューブ５の間の摩擦によってインナーワイヤ６の進退が良好に行えず、緩衝スプリング１０が上手く機能しない、という問題も生じない。
また、緩衝スプリング１０は施工完了時屈曲するアウターチューブ５の内部ではなく、常に直線状に配置される弁軸部８内に配置されるため、弁部材３（または弁軸部８）に上方から応力が加わっても緩衝スプリング１０の収縮は常にスムーズに行われ、緩衝スプリング１０自体が屈曲部分に配置されたことで破損してしまう、という問題が生じない。
【００２２】
また、上記従来例では、弁軸部８を覆うと共にその進退をガイドするカバー部材１１を備えたことで、弁軸部８の進退の方向と、インナーワイヤ６の端部や緩衝スプリング１０の軸方向とが良く合致するようにすることができる。緩衝スプリング１０の収縮の方向と、インナーワイヤ６の軸の方向とが合致していないと、インナーワイヤ６や緩衝スプリング１０の軸方向と、応力が加えられる方向がずれてしまい、インナーワイヤ６や緩衝スプリング１０が破損してしまう場合があるが、本実施例のように、弁軸部８にカバー部材１１を備えることで、カバー部材１１を弁軸部８の進退のガイドとして利用することができるようになり、弁軸部８の進退方向とインナーワイヤ６端部の軸方向とにズレが生じることなく、良く合致するようにすることができ、遠隔操作式排水栓装置の緩衝機構の作用を一層確実なものとすることができる。
【００２３】
また、カバー部材１１をガイドとして利用するためには、カバー部材１１とアウターチューブ５の端部との接続が、傾くことなく行われる必要がある。上記実施例においては、アウターチューブ５端部に鍔部５ａを設け、この鍔部５ａ外側面とカバー部材１１内周面が当接するように成すと共に、アウターチューブ５端部に、平面視インナーワイヤ６を中心として対称となる位置二箇所に段部５ｄを備えた条部５ｂを設け、且つ平面視該条部５ｂ及び段部５ｄの側面を、アウターチューブ５の端部の中心軸と条部５ｂの中心軸を結ぶ平面と平行となるように設け、カバー部材１１の下端部分に、上記条部５ｂ及び段部５ｄに合致する切欠部１１ａ及び凹部１１ｂを設けて構成している（上記構成により、アウターチューブ５端部での中心軸と、条部５ｂの中心軸を結ぶ平面とは平行となるように構成されてなる）。このように構成したことにより、カバー部材１１とアウターチューブ５の端部との接続が、傾くことなく行われるように構成している。以下に、この傾斜防止の構成について、具体的に詳述する。
施行完了時の弁軸部８を、図１１に示したように、二箇所の条部５ｂを結ぶ線を水平方向に配置するようにして平面視する。
この場合に、上記実施例では、以下の１．乃至４．の方法により、カバー部材１１とアウターチューブ５の端部との接続において傾斜は生じない。
１．カバー部材１１は、その内周面がアウターチューブ５の鍔部５ａ外周面に当接しているため、アウターチューブ５端部に対して傾斜は生じにくい。
２．水平方向（図１１における横方向）については、条部５ｂの上端が、切欠部１１ａ上端、及び段部５ｄ上面に合致し、当接しているため、カバー部材１１とアウターチューブ５端部との間で傾斜は生じない。
３．垂直方向（図１１における上下方向）については、条部５ｂの側面及び段部５ｄの側面と上面が、切欠部１１ａ側面、及び凹部１１ｂの側面と下面に合致し、当接しているため、カバー部材１１とアウターチューブ５端部との間で傾斜は生じない。
４．水平方向／垂直方向以外の方向に向かう傾斜（図１１の斜め方向）は、水平方向及び垂直方向への傾斜の合成によって生じるため、上記２．、上記３．が機能する限り、水平方向／垂直方向以外の方向に向かう傾斜は生じない。
【００２４】
本発明の実施例は以上のようであるが、本発明は上記実施例に限定されるものではなく、主旨を変更しない範囲において自由に変更が可能である。
例えば、上記実施例では、排水配管が備えられる槽体を浴槽Ｂとしているが、本発明は上記実施例に限定されるものではなく、洗面台の洗面ボウル、流し台のシンクなど他の槽体に使用してももちろん構わない。
【符号の説明】
【００２５】
１      排水口                    ２      操作部
２ａ    操作部本体                ２ｂ    ロック機構部
２ｃ    操作軸                    ２ｄ    ボタン部材
３      弁部材                    ３ａ    弁体
３ｂ    嵌合部                    ４      レリースワイヤ
５      アウターチューブ          ５ａ    鍔部
５ｂ    条部                      ５ｃ    条部側面
５ｄ    段部                      ５ｅ    爪部
６      インナーワイヤ            ６ａ    支持軸
７      戻りスプリング            ８      弁軸部
８ａ    弁軸部本体                ８ｂ    弁軸蓋部
８ｃ    貫通孔                    ９      ストッパー
１０    緩衝スプリング            １１    カバー部材
１１ａ  切欠部                    １１ｂ  凹部
１１ｃ  爪受穴                    １２    排水栓本体
１３    支持部材                  １４    エルボ部材
１４ａ  排出口                    １４ｂ  挿通筒
１５    ガイド管                  Ｂ      浴槽
Ｂ１    排水栓取付孔              Ｂ２    操作部取付孔
【図１】
0005906480.tif 000002
【図２】
0005906480.tif 000003
【図３】
0005906480.tif 000004
【図４】
0005906480.tif 000005
【図５】
0005906480.tif 000006
【図６】
0005906480.tif 000007
【図７】
0005906480.tif 000008
【図８】
0005906480.tif 000009
【図９】
0005906480.tif 000010
【図１０】
0005906480.tif 000011
【図１１】
0005906480.tif 000012
【図１２】
0005906480.tif 000013